(57)【要約】【課題】部品点数の削減およびコスト低減をはかる。また、より正確な発光パワー制御を実現させる情報記録再生装置を提供する。【解決手段】ＣＤ−Ｒ／ＲＷとＤＶＤ＋Ｒ／ＲＷ共通で使用する半導体光出力をモニタするための１個の受光素子４１と、この受光素子４１の出力信号を増幅し、ＣＤ−Ｒ／ＲＷ用の分解能にモニタ信号をレベルシフトするための増幅器４２と、ＤＶＤ＋Ｒ／ＲＷ用の分解能にモニタ信号をレベルシフトするための増幅器４３により構成され、かつ、増幅器４２、４３の増幅率はシステムコントローラ１６からの制御信号で制御され、反射率の異なる光ディスク毎に増幅率を可変とする。【選択図】　　　図４
2004005886.tif 000002
【特許請求の範囲】
【請求項１】
使用する波長が異なる少なくとも２つの情報記録媒体に対して情報の書き込みを行う情報記録再生装置において、
異なる波長を有する少なくとも２つの光源の発光パワーをモニタする１つの受光素子と、前記受光素子の出力信号を異なる増幅率で増幅する少なくとも２つの増幅器から成り、
前記各増幅器の増幅率を可変としたピックアップを備えたことを特徴とする情報記録再生装置。
【請求項２】
前記少なくとも２つの増幅器は、前記少なくとも２つの光源の発光パワーを夫々最適な信号レベルに増幅するように構成され、前記それぞれの増幅器の増幅率は、システムコントローラによって制御されることを特徴とする請求項１に記載の情報記録再生装置。
【請求項３】
前記増幅率は、前記それぞれの情報記録媒体が持つ反射率毎に前記システムコントローラによって制御されることを特徴とする請求項２に記載の情報記録再生装置。
【請求項４】
使用する波長が異なる少なくとも２つの情報記録媒体に対して情報の書き込みを行う情報記録再生装置において、
異なる波長を有する少なくとも２つの光源の発光パワーをモニタする１つの受光素子と、
前記受光素子の出力信号を増幅する第１の増幅器と、
前記第１の増幅器の出力信号をスルーして出力する経路と、
前記第１の増幅器の出力信号を増幅する第２の増幅器と、
前記第２の増幅器の出力信号をスルーして出力する経路とから成り、
前記第１と第２の増幅器の増幅率を可変とするピックアップを備えたことを特徴とする情報記録再生装置。
【請求項５】
前記第１の増幅器は、前記少なくとも２つの光源における一方の発光パワーを最適な信号レベルに減衰するように構成され、
前記第２の増幅器は、前記第１の増幅器の出力を増幅して、前記少なくとも２つの光源における他方の発光パワーを最適な信号レベルに増幅するように構成され、
前記第１と第２の増幅器の増幅率は、システムコントローラにより制御されることを特徴とする請求項４に記載の情報記録再生装置。
【請求項６】
前記第１と第２の増幅器の増幅率は、前記情報記録媒体のそれぞれが持つ反射率によって前記システムコントローラにより制御されることを特徴とする請求項５に記載の情報記録再生装置。
【発明の詳細な説明】
【０００１】
【発明の属する技術分野】
本発明は、情報記録再生装置に関し、さらに詳しくは、光源となる半導体レーザの記録パワーをモニタする光ピックアップモジュールを搭載した情報記録再生装置に関する。
【０００２】
【従来の技術】
半導体レーザは、小型で、かつ少ない駆動電流により高速に変調を行うことが可能なため、さまざまな分野の光源として広く用いられている。
しかしながら、半導体レーザの駆動電流と光出力との関係は、温度により著しく変化するため、光強度を所望の値に設定しようとする場合に、その安定性が問題になる。
【０００３】
この問題を解決するために、特に、光ディスク装置ではＡＰＣ（Ａｕｔｏｍａｔｉｃ　Ｐｏｗｅｒ　Ｃｏｎｔｒｏｌ）回路を用いて、半導体レーザの光出力を受光素子によりモニタリングし、この受光素子から発生する半導体レーザの光出力に比例した信号と、発光レベル指令信号とが等しくなるように常時半導体レーザの順方向電流を制御している。この技術は、記録再生可能な光ディスク装置であるＣＤ−Ｒ／ＲＷドライブでも利用され、上記した半導体レーザのパワー制御を行なっている。
【０００４】
図６に従来のＣＤ−Ｒ／ＲＷ、ＤＶＤ＋Ｒ／ＲＷ両規格対応ドライブの光ピックアップモジュール内部にあるパワーモニタ回路の一例を示す。
このピックアップモジュール内のパワーモニタ回路の構成は、光ディスクがＣＤ−Ｒ／ＲＷであった時の半導体レーザのパワーモニタに使う受光素子Ａ（６１）と、受光素子Ａ（６１）の出力信号を増幅する増幅器Ａ（６３）と、光ディスクがＤＶＤ＋Ｒ／ＲＷであった時の半導体レーザのパワーモニタに使う受光素子Ｂ（６２）と、受光素子Ｂ（６２）の出力信号を増幅する増幅器Ｂ（６４）から構成されている。
【０００５】
上記したパワーモニタ回路から出力されるパワーモニタ信号（ＣＤ用、ＤＶＤ用）は、半導体レーザの光出力に比例しており、パワーモニタ回路は、半導体レーザパワーの光出力の値を電圧値でＣＤ−Ｒ／ＲＷ、ＤＶＤ＋Ｒ／ＲＷ両規格対応ドライブ内のシステムコントローラに出力している。
このパワーモニタ信号（ＣＤ用、ＤＶＤ用）の分解能は、半導体レーザの最大光出力値とパワーモニタ回路の動作電圧によって決まる。この分解能とは、半導体レーザの光出力１ｍＷに対するパワーモニタ信号の電圧レベルのことであり、分解能は大きい程よい。また、ＣＤ−Ｒ／ＲＷはＤＶＤ＋Ｒ／ＲＷと比べて記録スピードが速いため、最高速での記録パワーは、ＤＶＤ＋Ｒ／ＲＷのそれより大きい。このことから、ＣＤ−Ｒ／ＲＷとＤＶＤ＋Ｒ／ＲＷのパワーモニタ信号の分解能が異なることが分かる。
【０００６】
そのために、増幅器Ａ（６３）と増幅器Ｂ（６４）は、受光素子Ａ（６１）、Ｂ（６２）からの出力信号を、それぞれの光ディスクの分解能に合うようにモニタ信号をレベル変換している。これらモニタ信号（ＣＤ用、ＤＶＤ用）は、ドライブ内のシステムコントローラに出力され、半導体レーザの光出力のパワー制御が実現される。
このように従来のＣＤ−Ｒ／ＲＷ、ＤＶＤ＋Ｒ／ＲＷ両規格対応ドライブは、受光素子Ａ（６１）、Ｂ（６２）のように、半導体レーザの光出力をモニタするために２個の受光素子を用いていた。
【０００７】
また、ＣＤ−Ｒ／ＲＷドライブは、現在パソコンの標準装備化が進み、最も一般的なＯＳであるマイクロソフト社のｗｉｎｄｏｗｓ（登録商標）上でもＣＤ−Ｒ／ＲＷへの記録が可能になり、ＣＤ−Ｒ／ＲＷドライブはユーザにとって一般的なものになっている。
更に、性能面では技術の進歩によりＣＤ−Ｒ／ＲＷへの記録再生スピードの高速化が進んでいる。そして、ＣＤ−Ｒ／ＲＷの記録速度の高速化により、半導体レーザの光出力の高出力化が必要となり、これにより現在のＣＤ−Ｒ／ＲＷドライブの半導体レーザの出力は増大している。
【０００８】
最近、これらＣＤ−Ｒ／ＲＷドライブの中に新しい記録メディアの規格であるＤＶＤ−ＲＯＭ系の大容量記録メディアへの記録も可能なドライブが出てきている。
ＤＶＤ−ＲＯＭ系の記録メディアの規格は、ＤＶＤ−ＲＡＭ、ＤＶＤ＋Ｒ／ＲＷ、ＤＶＤ−Ｒ／ＲＷといった規格が各社から出ており、ＣＤ−Ｒ／ＲＷといったＣＤ−ＲＯＭ系の記録メディアの規格より大容量の記録が可能である（ＣＤ−Ｒ／ＲＷ：６５０ＭＢ、ＤＶＤＲＡＭ、ＤＶＤ＋Ｒ／ＲＷ、ＤＶＤ−Ｒ／ＲＷ：４．７ＧＢ）。
【０００９】
ＤＶＤ−ＲＡＭ、ＤＶＤ＋Ｒ／ＲＷ、ＤＶＤ−Ｒ／ＲＷ（以後ＤＶＤ記録規格と呼ぶ）は、最近開発されたばかりと言うこともあり、記録スピードの高速化が進んでいるＣＤ−Ｒ／ＲＷと比べて、非常に低速で、半導体レーザの記録パワーも低出力である。
現在商品化されているこのようなＣＤ−Ｒ／ＲＷ＋ＤＶＤ記録規格ドライブは、ＣＤ−Ｒ／ＲＷ用とＤＶＤ記録規格用の半導体レーザをそれぞれ持っている。これは、ＣＤ−Ｒ／ＲＷ用とＤＶＤ記録規格用では、半導体レーザの波長が異なるためである。また、これら各半導体レーザの光出力モニタ用の受光素子も、それぞれＣＤ−Ｒ／ＲＷ用とＤＶＤ記録規格用の２種類持っており、これら受光素子の出力信号を処理する回路も異なる。これは、ＣＤ−Ｒ／ＲＷとＤＶＤ記録規格の記録パワーの違いから来るもので、ドライブ内にある受光素子の動作電圧と半導体レーザの光出力から決まる半導体レーザパワーのモニタ回路の分解能が異なるためである。
【００１０】
【発明が解決しようとする課題】
上記したように、図６に示した従来のＣＤ−Ｒ／ＲＷ＋ＤＶＤ記録規格ドライブには２つの問題があった。
１つは、ＣＤ−Ｒ／ＲＷ＋ＤＶＤ記録規格ドライブは、その光出力をモニタするために２種類の受光素子を必要とし、従って、部品点数が多くなり、コスト的にも高くなることである。他の一つは、増幅器６３、６４は、固定ゲインとなっていることである。
【００１１】
ＣＤ−Ｒ、ＣＤ−ＲＷといったＣＤ規格の光ディスクへの情報記録時、記録パワーのモニタは、増幅器Ａ（６３）の出力信号によって実現される。増幅器Ａ（６３）の入力である受光素子Ａ（６１）の出力信号は、記録時の光ディスクの反射光量に比例する。　ここで、追記型記録ディスクであるＣＤ−Ｒの光反射率は規格化されているが、実際的には、ＣＤ−Ｒの構成材料の違いにより、各社光ディスクメーカが生産しているＣＤ−Ｒは、メーカ間でその反射率が多少異なる。また、相変化型記録ディスクであるＣＤ−ＲＷの反射率も規定化されているが、上記したＣＤ−Ｒと同様、各メーカ間で反射率が多少異なる。このことは、ＤＶＤ記録規格においても言える。
【００１２】
ＤＶＤ記録規格の追記型記録ディスクの反射率も規格化されているが、ディスクメーカ間で多少反射率が異なる。相変化型記録ディスクの反射率も規格化されているが、ディスクメーカ間で多少反射率が異なる。
このことは、増幅器Ａ（６３）、Ｂ（６４）が固定ゲインである図６に示す従来例では、発光している記録レーザパワーが同じであっても、反射率の異なる光ディスク毎に記録レーザパワーのモニタ信号が異なることを意味する。
記録レーザパワーの制御は、モニタ信号に基づき行うものであるが、このモニタ信号が記録メディアの反射率により異なってしまうために、正確なパワー制御が行えなくなる。
【００１３】
本発明は上記事情に鑑みてなされたものであり、従来、ＣＤ−Ｒ／ＲＷ用とＤＶＤ記録規格用に専用の受光素子を備えて半導体レーザのパワーモニタを行っていたのを、１個の受光素子で共用することにより、部品点数の低減、およびコスト低減を実現した、情報記録再生装置を提供することを目的とする。
また、モニタ信号を処理する増幅器を可変ゲインの増幅器とし、情報記録媒体によってその増幅率を変化させることにより、情報記録媒体の反射率の違いによる記録レーザパワーのモニタ信号の変化を防ぎ、記録レーザパワー制御の品質向上を実現した情報記録再生装置を提供することも目的とする。
【００１４】
【課題を解決するための手段】
請求項１に記載の発明は、使用する波長が異なる少なくとも２つの情報記録媒体に対して情報の書き込みを行う情報記録再生装置において、異なる波長を有する少なくとも２つの光源の発光パワーをモニタする１つの受光素子と、前記受光素子の出力信号を異なる増幅率で増幅する少なくとも２つの増幅器から成り、前記各増幅器の増幅率を可変としたピックアップモジュールを備えたことを特徴とする。
【００１５】
請求項１に記載の発明によれば、受光素子を共用することができ、コストダウンが可能となる。すなわち、受光素子には波長特性と感度特性があり、それぞれ個々に少しずつ異なる特性を持っている。従って、それを回路に組み込んで発光パワーのモニタ用に使用する場合、周辺の可変増幅器によりトータルの特性が合うように補正される。
つまり、１つの受光素子により異なる波長の光を受光する場合、同じパワーであっても、波長によりその出力レベルが若干異なる。このレベル差は予め確認しておけば、その分だけ増幅器で補正することにより正しいレベルをモニタすることができる。
【００１６】
請求項２に記載の発明は、請求項１に記載の情報記録再生装置において、前記少なくとも２つの増幅器は、前記少なくとも２つの光源の発光パワーを夫々最適な信号レベルに増幅するように構成され、前記それぞれの増幅器の増幅率は、システムコントローラによって制御されることを特徴とする。
【００１７】
請求項２に記載の発明によれば、少なくとも２つの増幅器は、異なる波長をもつ少なくとも２つの光源の発光パワーを、夫々最適な信号レベルに増幅するように構成されているため、１つの受光素子から少なくとも２つの光源を個別にパワー制御することができる。また、増幅率をシステムコントローラからの制御信号で調整することにより、正確にレーザ光源のパワー制御が可能となる。
【００１８】
請求項３に記載の発明は、請求項２に記載の情報記録再生装置において、前記増幅率は、前記それぞれの情報記録媒体が持つ反射率毎に前記システムコントローラによって制御されることを特徴とする。
【００１９】
請求項３に記載の発明によれば、構成材料の違いからくる反射率が異なる情報記録媒体毎に増幅器の増幅率をシステムコントローラからの制御信号で制御することにより、光源のパワーをモニタするモニタ信号を正確なレベルに補正することができ、精度の高いパワー制御が実現される。
【００２０】
請求項４に記載の発明は、使用する波長が異なる少なくとも２つの情報記録媒体に対して情報の書き込みを行う情報記録再生装置において、異なる波長を有する少なくとも２つの光源の発光パワーをモニタする１つの受光素子と、前記受光素子の出力信号を増幅する第１の増幅器と、前記第１の増幅器の出力信号をスルーして出力する経路と、前記第１の増幅器の出力信号を増幅する第２の増幅器と、前記第２の増幅器の出力信号をスルーして出力する経路とから成り、前記第１と第２の増幅器の増幅率を可変とするピックアップモジュールを備えたことを特徴とする。
【００２１】
請求項４に記載の発明によれば、共通の受光素子がモニタする光源の波長に基づいて、第１の増幅器の出力信号をそのまま出力するか、第２の増幅器を介して出力するかを選択可能となっており、第１の増幅器は、少なくとも２つの光源における一方の発光パワーを最適な信号レベルに増幅するように構成され、且つ、第１の増幅器の増幅率は可変であり、また、第２の増幅器は、第１の増幅器の出力を更に増幅して、発光パワーを最適な信号レベルにするように構成され、且つ第２の増幅器の増幅率は可変であるため、適正なモニタ信号を簡易な構成により得ることができる。
【００２２】
請求項５に記載の発明は、請求項４に記載の情報記録再生装置において、前記第１の増幅器は、前記少なくとも２つの光源における一方の発光パワーを最適な信号レベルに減衰するように構成され、前記第２の増幅器は、前記第１の増幅器の出力を増幅して、前記少なくとも２つの光源における他方の発光パワーを最適な信号レベルに増幅するように構成され、前記第１と第２の増幅器の増幅率は、システムコントローラにより制御されることを特徴とする。
【００２３】
請求項５に記載の発明によれば、第１と第２の増幅器は、異なる波長をもつ少なくとも２つの光源の発光パワーを、夫々最適な信号レベルに増幅するように構成されているため、１つの受光素子から、少なくとも２つの光源を個別にパワー制御することができる。また、これら制御において、増幅器の増幅率の調整をシステムコントローラからの制御信号可変とすることにより正確に光源のパワー制御が可能となる。
【００２４】
請求項６に記載の発明は、請求項５に記載の情報記録再生装置において、前記第１と第２の増幅器の増幅率は、前記情報記録媒体のそれぞれが持つ反射率によって前記システムコントローラにより制御されることを特徴とする。
【００２５】
請求項６に記載の発明によれば、構成材料の違いからくる反射率が異なる情報記録媒体毎に増幅器の増幅率をシステムコントローラから制御することで、光源の発光パワーをモニタするモニタ信号を正確なレベルに補正することができ、精度の高いパワー制御が実現される。
【００２６】
【発明の実施の形態】
図１は、本発明の情報記録再生装置の一実施形態を示すブロック図である。ここでは、ＣＤ−Ｒ／ＲＷドライブとＤＶＤ−ＲＯＭドライブの複合機（コンボドライブ）が示されている。
図１において、光ディスク１（ＣＤやＤＶＤ）は、スピンドルモータ２により回転駆動される。スピンドルモータ２は、モータドライバ３とサーボ処理回路４によりＣＬＶ（Ｃｏｎｓｔａｎｔ　Ｌｉｎｅａｒ　Ｖｅｌｏｃｉｔｙ：線速一定）もしくはＣＡＶ（Ｃｏｎｓｔａｎｔ　Ａｎｇｕｌａｒ　Ｖｅｌｏｃｉｔｙ：回転数一定）で一定速度になるように制御される。
【００２７】
また、光ピックアップ５は、図示していないＣＤ系用とＤＶＤ系用の半導体レーザ（Ｌａｓｅｒ　Ｄｉｏｄｅ）をそれぞれ持ち、光学系（レンズ等）、フォーカスアクチュエータ（レーザ光の焦点がディスクに合うようにレンズの位置をディスクと垂直方向に動かす機構）、トラックアクチュエータ（レーザ光の焦点がトラックをトレースするようにディスクの半径方向（スレッジ方向）にレンズを動かす機構）、及び受光素子、ポジションセンサ等と本発明の対象となるパワーモニタ回路を内蔵したもので、レーザ光を光ディスク１に照射する。
一方、光ピックアップ５全体は、図示していないシークモータによりスレッジ方向に移動可能である。これらフォーカスアクチュエータ、トラックアクチュエータ、シークモータは、受光素子、ポジションセンサから得られたフォーカスエラー信号（ＦＥ）やトラックエラー（ＴＥ）信号などのサーボ信号をもとに、モータドライバ３とサーボ処理回路４によりレーザースポットが目的の場所に位置するよう制御される。
【００２８】
また、データ読み出しの場合、光ピックアップ５で得られた再生信号は、ＲＦアンプ６で増幅され２値化（デジタル化）された後、ＣＤ／ＤＶＤデコーダ７に入力され、ＥＦＭ復調される。ＥＦＭ復調されたデータは、デインタリーブ（並べ替え直し）とエラー訂正の処理を受ける。その後、このデータはバッファマネージャ８により一旦バッファＲＡＭ９に蓄えられ、セクタデータとしてそろった段階でホストＩ／Ｆ１０を介して、ホストコンピュータに一気に送られる。
音楽データの場合は、ＣＤ／ＤＶＤデコーダ７から出てきたデータは、Ｄ／Ａコンバータ１１に入力され、アナログのオーディオ信号が取り出される。
【００２９】
次に、データ書き込み時は、ホストＩ／Ｆ１０を介してホストから送られてきたデータをバッファマネージャ８により一旦バッファＲＡＭ９に蓄え、バッファＲＡＭ９にある程度データが貯まったところで書き込みを開始するが、その前に光ディスク内周に用意されている記録パワーの構成領域で最適記録パワーの決定が行われる。
また、レーザースポットを書き込み開始地点に位置させなければならない。この地点はトラックの蛇行により、あらかじめ光ディスクに刻まれているウォブル（Ｗｏｂｂｌｅ）信号により求められる。ウォブル信号にはＡＴＩＰと呼ばれる絶対時間情報が含まれており、ＡＴＩＰデコーダ１２によりこの情報を取り出す。またＡＴＩＰデコーダ１２が生成する同期信号は、ＣＤエンコーダ１３に入力され、正確な位置でのデータの書き出しを可能にしている。
【００３０】
また、バッファＲＡＭ９のデータは、ＣＤ−ＲＯＭエンコーダ１４やＣＤエンコーダ１３でエラー訂正コードの付加やインターリーブ（並べ替え）が行われた後ＥＦＭ変調され、ＬＤドライバ１５、光ピックアップ５を介して光ディスク１に記録される。記録は、光ピックアップ５がレーザビームを記録ピームと再生ビームを交互に切り替えて行っている。
なお、１６は、システムコントローラであり、ＣＰＵを内蔵し、記憶装置１７に記録されたプログラムに従い上記した各ブロックを制御するものである。
【００３１】
図２は、ＣＤ−Ｒ／ＲＷとＤＶＤ＋Ｒ／ＲＷのパワーモニタ信号の信号レベルＶ（ｖ）と半導体レーザのパワーＰｗ（ｍＷ）の関係をグラフ表示した図である。ここでは、ＣＤ−Ｒ／ＲＷとＤＶＤ＋Ｒ／ＲＷの最高記録速度がそれぞれ３２倍速、２．４倍速のドライブで、最高記録速度時の記録パワーが６０ｍＷ、２０ｍＷであり、パワーモニタ回路の動作電圧が５ｖの場合の例を示す。
この図から、ＣＤ−Ｒ／ＲＷの特性において、パワーモニタ回路の動作電圧が５ｖになる点ｂが６０ｍＷを示し、ＤＶＤ＋Ｒ／ＲＷの特性において、パワーモニタ回路の動作電圧が５ｖになる点ａが２０ｍＷを示し、例えば、１ｍＷでのパワーモニタ信号は、ＣＤ−Ｒ／ＲＷの場合、Ｂとなり、ＤＶＤ＋Ｒ／ＲＷの場合、Ａとなり分解能が異なることが分かる。
【００３２】
また上述したように、同じディスク規格であっても、構成材料の違いにより反射率が異なる。例えば、同じＣＤ−Ｒであっても、メーカ間で構成材料が異なることによって若干反射率が異なる。このことは、記録レーザパワーのモニタ信号のレベルが異なることを意味し、このことによってモニタ信号を基に行うレーザパワー制御が正確に行えなくなる。
具体的には、図３に、反射率の異なる３種類の光ディスクによるモニタ信号レベル（Ｖ）と発光レーザパワー（ｍＷ）との関係が特性図として示されている。ここでは、直線ａで示されるように、システムにセットされている発光レーザパワーがＸであるときモニタ信号レベルはＡである。これに対し、直線ｂで示されるように高反射率の光ディスクを用いた場合、発光レーザパワーがＹ（低パワー）でしか光っていないにもかかわらず、モニタ信号レベルはＡと出力される。このことは、反射率の違いによって正しく発光レーザパワーのモニタが行えなくなることを意味する。
【００３３】
図４は、本発明の第１の実施形態に係るパワーモニタ回路の回路図である。図に示すように光ピックアップ５に内蔵されるパワーモニタ回路５０は、ＣＤ−Ｒ／ＲＷとＤＶＤ＋Ｒ／ＲＷ共通で使用する半導体レーザ出力をモニタする受光素子４１と、この受光素子４１の出力を増幅し、ＤＶＤ＋Ｒ／ＲＷ用の分解能にモニタ信号をレベルシフトするための可変増幅器４２と、ＣＤ−Ｒ／ＲＷ用の分解能にモニタ信号をレベルシフトする可変増幅器４３から構成される。
【００３４】
可変増幅器４１、４２からの出力信号（モニタ信号）は、ドライブ内のシステムコントローラ１６に出力される。システムコントローラ１６は、ユーザがＣＤ−Ｒ／ＲＷを使用している場合には、可変増幅器４２の出力信号を取得する。可変増幅器４２の出力経路は、ＣＤ−Ｒ／ＲＷ用のモニタ信号を生成する経路であり、ここで受光素子４１の出力信号は、可変増幅器４２に入力され、増幅された後、パワーモニタ回路５０から出力される。
システムコントローラ１６は、この出力信号であるモニタ信号を使ってＣＤ−Ｒ／ＲＷ使用時の半導体レーザのパワー制御を行う。この際、システムコントローラ１６は、使用している光ディスクの構成材料が高反射率の場合、可変増幅器４２の増幅率（ゲイン）を下げるようにゲインコントロール信号を生成出力する。また、使用している光ディスクが低反射率の場合、可変増幅器４２の増幅率（ゲイン）を上げるようにゲインコントロール信号を生成出力してその増幅率を制御する。
【００３５】
一方、ユーザがＤＶＤ＋Ｒ／ＲＷを使用している場合には、システムコントローラ１６は、可変増幅器４３の出力信号を取得する。可変増幅器４３の出力経路は、ＤＶＤ＋Ｒ／ＲＷ用のモニタ信号を生成する経路であり、ここで受光素子４１の出力信号は、可変増幅器４３に入力され減衰された後、パワーモニタ回路５０から出力される。
ＣＤ−Ｒ／ＲＷ使用時と同様に、システムコントローラ１６は、この出力信号であるモニタ信号を使ってＤＶＤ＋Ｒ／ＲＷ使用時の半導体レーザのパワー制御を行う。この際、システムコントローラ１６は、使用している光ディスクの構成材料が高反射率の場合、可変増幅器４２の増幅率（ゲイン）を下げるようなゲインコントロール信号を生成して増幅率をコントロールする。また、使用している光ディスクが低反射率の場合、可変増幅器４２の増幅率（ゲイン）を上げるようなゲインコントロール信号を生成して増幅率をコントロールする。
以上説明のように、１個の受光素子４１のパワーモニタ回路５０で、光ディスクの反射率の影響を補正し、正確な半導体レーザのパワー制御を実現する。
【００３６】
図５は、本発明の第２の実施形態に係るパワーモニタ回路の回路図である。図に示すように、光ピックアップ５に内蔵されるパワーモニタ回路５０は、ＣＤ−Ｒ／ＲＷとＤＶＤ＋Ｒ／ＲＷ共通で使用する半導体光出力をモニタするための受光素子５１と、また、受光素子５１の出力を増幅し、ＣＤ−Ｒ／ＲＷ用の分解能にモニタ信号をレベルシフトする可変増幅器５２と、この可変増幅器５２の出力信号をそのまま出力する経路と、可変増幅器５２の出力信号をＤＶＤ＋Ｒ／ＲＷ用の分解能にレベルシフトする可変増幅器５３により構成されている。
システムコントローラ１６は、ユーザがＣＤ−Ｒ／ＲＷを使用している場合には、可変増幅器５２の出力信号を取得する。可変増幅器５２の出力信号はＣＤ−Ｒ／ＲＷ用のモニタ信号であり、可変増幅器５２でＣＤ−Ｒ／ＲＷ用の分解能に合った信号レベルに増幅された受光素子５１からの出力信号は、そのままパワーモニタ回路５０から出力される。
システムコントローラ１６は、この出力信号であるモニタ信号を使って、ＣＤ−Ｒ／ＲＷ使用時の半導体レーザのパワー制御を行う。この際、システムコントローラ１６は、使用している光ディスクの構成材料が高反射率の場合、可変増幅器５２の増幅率を下げるようにゲインコントロール信号を生成出力する。また、使用している光ディスクが低反射率の場合、可変増幅器５２の増幅率を上げるようにゲインコントロール信号を生成出力してその増幅率の制御を行う。
【００３７】
一方ユーザがＤＶＤ＋Ｒ／ＲＷを使用している場合には、システムコントローラ１６は、可変増幅器５３の出力信号を取得する。可変増幅器５３の出力信号はＤＶＤ＋Ｒ／ＲＷ用のモニタ信号であり、可変増幅器５２の出力信号はＤＶＤ＋Ｒ／ＲＷ用の分解能に合った信号レベルに可変増幅器５３で増幅された後、パワーモニタ回路５０から出力される。
ＣＤ−Ｒ／ＲＷ使用時と同様にシステムコントローラ１６は、この出力信号であるモニタ信号を使ってＤＶＤ＋Ｒ／ＲＷ使用時の半導体レーザのパワー制御を行う。この際、システムコントローラ１６は、使用している光ディスクの構成材料が高反射率の場合、可変増幅器５３の増幅率を下げるようにゲインコントロール信号を生成し増幅率を制御する。また、使用している光ディスクが低反射率の場合、可変増幅器５３の増幅率を上げるようにゲインコントロール信号を生成し増幅率の制御を行う。
以上の説明により、１個の受光素子５１のパワーモニタ回路５０で、光ディスクの反射率の影響を補正し、正確な半導体レーザのパワー制御を実現することができる。
【００３８】
以上説明のように本発明は、従来、ＣＤ−Ｒ／ＲＷ用とＤＶＤ記録規格用に専用の受光素子を備えて半導体レーザのパワーモニタを行っていたのを、１個の受光素子で共用することにより、部品点数の低減、およびコスト低減を実現するものである。
また、モニタ信号を処理する増幅器を可変ゲインの増幅器とし、情報記録媒体によってその増幅率を変化させることにより、情報記録媒体の反射率の違いによる記録レーザパワーのモニタ信号の変化を防ぎ、記録レーザパワー制御の品質向上を実現したものである。
【００３９】
【発明の効果】
請求項１の発明によれば、異なる波長を有する少なくとも２つの光源の発光パワーをモニタする１つの受光素子と、この受光素子からの出力信号を異なる増幅率に増幅する少なくとも２つの増幅器を持ち、システムコントローラがその波長を基に少なくとも２つの増幅器における出力信号のいずれかを選択することにより、受光素子を共用することができ、コストダウンが可能となる。また、増幅率のゲインを可変とすることより、正確な発光パワーの制御が可能となる。
【００４０】
また、請求項２に記載の発明によれば、異なる増幅率に増幅する少なくとも２つの増幅器のゲインをシステムコントローラの制御により可変することができるので、最適なモニタ信号レベルにシフトすることができ、正確なレーザパワー制御が可能となる。
【００４１】
また請求項３に記載の発明によれば、少なくとも２つの増幅器の増幅率を、反射率の異なる光ディスク毎にシステムコントローラの制御で可変とすることができるため、光ディスクの反射率の違いによる影響を補正した最適なモニタ信号レベルにシフトすることができ、正確なレーザパワー制御が可能となる。
【００４２】
請求項４に記載の発明によれば、共通の受光素子がモニタする波長に基づいて、第１の増幅器の出力信号をそのまま出力するか、第２の増幅器を介して出力するかを選択可能とし、また、第１第２の増幅器の増幅率を可変としたため、適正なモニタ信号を簡易な構成により得ることができる。
【００４３】
また請求項５に記載の発明によれば、第１と第２の増幅器の増幅率をシステムコントローラの制御により可変とするため、最適なモニタ信号レベルにシフトすることができ、正確な発光パワー制御が可能となる。
【００４４】
更に、請求項６に記載の発明によれば、第１と第２の増幅器の増幅率を反射率の異なる光ディスク毎にシステムコントローラの制御により可変とするため、光ディスクの反射率の違いによる影響を補正した最適なモニタ信号レベルにシフトすることができ、正確なレーザパワー制御が可能となる。
【図面の簡単な説明】
【図１】本発明の情報記録再生装置の一実施形態を示すブロック図である。
【図２】ＣＤ−Ｒ／ＲＷとＤＶＤ＋Ｒ／ＲＷのパワーモニタ信号の信号レベルと半導体レーザのパワーとの関係を説明するために引用した図である。
【図３】反射率の異なる３種類の光ディスクによるモニタ信号レベルと発光レーザパワーとの関係を説明するために引用した図である。
【図４】本発明の情報記録再生装置に用いられるパワーモニタ回路の一実施形態を示す図である。
【図５】本発明の情報記録再生装置に用いられるパワーモニタ回路の他の実施形態を示す図である。
【図６】従来の情報記録再生装置に用いられるパワーモニタ回路の一例を示す図である。
【符号の説明】
５　　　光ピックアップ
１６　　システムコントローラ
４１　　受光素子
４２（４３）　増幅器
５０　パワーモニタ回路
【図１】
2004005886.tif 000003
【図２】
2004005886.tif 000004
【図３】
2004005886.tif 000005
【図４】
2004005886.tif 000006
【図５】
2004005886.tif 000007
【図６】
2004005886.tif 000008